(57)【要約】【課題】本発明は、「雪見障子」あるいは「猫間障子」と通称される擦り上げ障子戸であり、金属製の中框により強度を向上してサッシの代わりに使用できる共に、座位での目線の高さに硝子をはめ、内側にすり上げや引き違いにした小障子を付けたもので、部屋に居ながらにして庭の景色を眺められる、和室の知恵と趣を感じさせる擦り上げ障子戸に関するものである。【解決手段】建具枠体１内に硝子２０を配し、かつ上下方向引き違いとなると共に建具枠体１開口αの全面を閉塞する関係の大きさに規制して分割形成された複数枚の障子戸３０を配すると共に、硝子２０は中框７により支持されていると共に、中框７の両端は縦框４に固定されている擦り上げ障子戸Ａである。【選択図】図１
2007211440.tif 000002
【特許請求の範囲】
【請求項１】
建具枠体内に硝子を配し、かつ上下方向引き違いとなると共に建具枠体開口の全面を閉塞する関係の大きさに規制して分割形成された複数枚の障子戸を配すると共に、硝子は中框により支持されていると共に、中框の両端は縦框に固定されていることを特徴とする擦り上げ障子戸。
【発明の詳細な説明】
【技術分野】
【０００１】
本発明は、「雪見障子」あるいは「猫間障子」と通称される擦り上げ障子戸であり、金属製の中框により強度を向上してサッシの代わりに使用できる共に、座位での目線の高さに硝子をはめ、内側にすり上げや引き違いにした小障子を付けたもので、部屋に居ながらにして庭の景色を眺められる、和室の知恵と趣を感じさせる擦り上げ障子戸に関するものである。
【背景技術】
【０００２】
従来の雪見障子は、上框と下框間に中框を形成し、上部に障子枠体、下部に硝子を着脱可能に形成し、内側には上下に移動可能かつ着脱可能に障子枠体を形成したものであった。このために、下部に形成した硝子部分を移動可能な障子枠体により遮蔽したり、開放したりすることにより、断熱性と気密性を保ちながら、直接の太陽光を遮断したり、障子戸越しの柔らかい光を取り入れたり、庭等の観賞が可能なものであった。また、上下方向に硝子を着脱可能に形成し、内側の障子戸は上下方向に移動可能で着脱可能な構成とした擦り上げ障子戸も提案されている。（例えば、特許文献１参照）。
【０００３】
【特許文献１】特開平８−１９９９２２号公報
【発明の開示】
【発明が解決しようとする課題】
【０００４】
しかしながら、特許文献１においては、上下２枚の硝子枠体で構成されているために、美観上サッシを屋外側に設けないような構造で使用した場合には、一枚の擦り上げ障子戸に上下２枚の硝子が存在する構造となるために、断熱性、防水性、気密性、強度、等の点において不安があった。その上、建具枠と硝子枠体の一体化は、取り外しの容易性を重要視する特殊な雇い実嵌合構造であるために、断熱性、気密性、防水性、等に問題があった。さらに、障子戸を屋外側に形成し、サッシを設けない構造で形成した場合には、木製の中框では硝子の補強としては強度的に問題があった。また、建具枠のガタツキにより障子戸と建具枠との間に隙間が生じ、障子戸が自重により落ちてきてしまう不具合があった。
【課題を解決するための手段】
【０００５】
本発明はこのような欠点を解決するために、建具枠体内に硝子を配し、かつ上下方向引き違いとなると共に建具枠体開口の全面を閉塞する関係の大きさに規制して分割形成された複数枚の障子戸を配すると共に、硝子は中框により支持されていると共に、中框の両端は縦框に固定されている擦り上げ障子戸を提供するものである。
【発明の効果】
【０００６】
本発明に係る擦り上げ障子戸によれば、（１）全面を一枚硝子で形成すると共に少なくとも硝子は金属製の中框により支持されているために、強度、防水性、気密性、断熱性、等の点において優れる。（２）２×４構造、パネル建築構造、ユニット構造、あるいはこれらを組み合わせた構造等からなる高気密・高断熱の住宅に採用されても、機能上劣ることがない。（３）適宜な部分を遮蔽、開放できるので、居住者の生活形態にマッチした擦り上げ障子戸となる。（４）我が国の伝統和風建具の利点を有しながら、強度、防水性、気密性、断熱性、等の点において優れた擦り上げ障子戸を形成できる。（５）障子戸を開放した場合に、硝子枠体の縦額縁と横額縁、中框が見えず、視界が圧迫されることがない。（６）サッシを使用しなくとも高気密・高断熱の住宅に採用できる性能を有する。（７）中框により縦框間を固定するために、強度が向上して変形を防止し、硝子や障子戸のガタツキ、障子戸の緩みを防止し、障子戸が自重により落ちてきたりしない。等の特徴、効果がある。
【発明を実施するための最良の形態】
【０００７】
以下に図面を用いて本発明に係る擦り上げ障子戸について詳細に説明する。図１〜図１３は擦り上げ障子戸Ａを示す説明図であり、建具枠体１、硝子２０、障子戸３０より構成されるものである。図１は図１１のａ−ａ線拡大断面図（一部省略）、図２は建具枠体１部分のみのａ−ａ線拡大断面図（一部省略）である。
【０００８】
図３（ａ）、（ｂ）〜図６（ａ）〜（ｅ）は中框７の一実施例を示す説明図、図７（ａ）は図１１のｂ−ｂ線拡大断面図、図７（ｂ）は図１１のｃ−ｃ線拡大断面図、図８（ａ）は建具枠体１部分のみのｂ−ｂ線拡大断面図、図８（ｂ）は建具枠体１部分のみのｃ−ｃ線拡大断面図、図８（ｃ）は図１１の拡大平面図（一部省略）、図９（ａ）は図１４（建具枠体１のみを示す説明図）の平面図、図９（ｂ）は図１４のｄ−ｄ線断面図、図９（ｃ）は図１４のｅ−ｅ線断面図である。
【０００９】
また、図１０（ａ）、（ｂ）において、Ａは擦り上げ障子戸、Ｋは鴨居、Ｓは敷居である。なお、鴨居Ｋ、敷居Ｓは従来から使用されている一般的なものであるが、擦り上げ障子戸Ａの素材により、木材、プラスチック材、金属材（例えば、アルミニウム等）等から形成されるものである。勿論、車輪３ａが付いている場合には敷居Ｓにはレール３ｂが形成されるものである。また、図１においてＵは硝子２０移動防止用の硝子固定部材である。硝子固定部材Ｕは、万が一に硝子２０が破損した場合には取り外しができるように形成するものであり、その素材としては建具枠体１と同一部材でも良いし、別部材、例えばゴム系のパッキンを連続状に形成しても良いものである。さらに、擦り上げ障子戸Ａの建具枠体１の下框３に戸車が形成された構造、あるいは建具枠体１がアルミニウム等の金属材で形成されるような場合には、鴨居Ｋ、敷居Ｓにレールが形成されるものである。
【００１０】
さらに詳説すると、建具枠体１は図９（ａ）〜（ｃ）に示すように上框２、下框３、縦框４、左縦框５、右縦框６、金属製の中框７、図１〜図９（ａ）〜（ｃ）に示すように縦框硝子挿入溝１０、上框硝子挿入溝１１、下框硝子挿入溝１２、障子枠体案内溝１３、外障子枠体案内溝１４、内障子枠体案内溝１５より形成したものである。その建具枠体１の素材としては、通常は木材であるが、プラスチック材、金属材（例えば、アルミニウム等）、これらの組み合わせ、等任意である。
【００１１】
中框７は主に金属製であり、図３（ａ）、（ｂ）に示すように、図４（ａ）〜（ｄ）に示すように縦框４に形成された中框固定孔７ａ、中框支持孔７ｂ、切り欠き７ｃよりなる左右の孔に、図５（ａ）〜（ｃ）、図６（ａ）〜（ｅ）に示すような中框７を挿入し、図では両端部を螺合することにより、左縦框５と右縦框６間を一定間隔Ｘで固定するものである。なお、７ｄは中框固定孔７ａを塞ぐフタである。
【００１２】
中框７は図５（ａ）〜（ｃ）に示すような硝子固定部材８と、図６（ａ）〜（ｅ）に示すような中框固定部材９よりなり、硝子固定部材８は主体部８ａ、両端部に形成した雄ネジ部８ｂとからなる棒状長尺材であり、中框固定部材９は主体部９ａ、雌ネジ部９ｂ、ドライバ用溝９ｃとからなる部材である。
【００１３】
さらに詳説すると、硝子固定部材８は、縦框４に形成された中框固定孔７ａと中框支持孔７ｂ間の段差を利用し、硝子固定部材８の雄ネジ部８ｂに、中框固定部材９の雌ネジ部９ｂを螺合することにより、縦框４に中框７を固定するものである。このように固定することにより、左縦框５と右縦框６間の幅が中框７の中框固定部材９の閉め具合でにより微妙に調整でき、硝子２０や障子戸３０のガタツキ、障子戸３０の緩みを防止できるものである。
【００１４】
縦框硝子挿入溝１０は、縦框４の左縦框５、右縦框６の屋外側となる部分に縦に溝を形成し、硝子２０の左右部分が挿入されて、硝子２０を建具枠体１に建具枠体１内の開口α全面を閉塞、密閉するように固定する部分である。上框硝子挿入溝１１は図８（ｃ）、図９（ａ）〜（ｃ）に示すように、上框２の屋外側となる部分に上框２を貫通するように溝穴を形成し、硝子２０が挿入できるように形成したものである。建具枠体１と硝子２０の一体化は図１６（ａ）、（ｂ）、図１７に示すように上部より硝子２０を上框硝子挿入溝１１、縦框硝子挿入溝１０、下框硝子挿入溝１２に挿入し、図１、図２に示すように硝子固定部材Ｕで上框硝子挿入溝１１で閉塞、密閉して一体化するものである。
【００１５】
下框硝子挿入溝１２は下框３の屋外側となる部分に幅Ｗの溝を形成することにより形成したものであり、硝子２０の下端部分を挿入し、硝子２０の下端部分を建具枠体１に固定する部分である。勿論、縦框硝子挿入溝１０、上框硝子挿入溝１１、下框硝子挿入溝１２の溝の幅は、硝子２０がガタつかないように、硝子２０が挿入可能で硝子２０の厚さとほぼ等しいものである。
【００１６】
上框硝子挿入溝１１の幅をＷ、図１５に示すように硝子２０の幅をｗとすると、Ｗ＝ｗ＋０．５〜２ｍｍ位の関係である。なお、硝子２０と建具枠体１間の接触する部分に、断熱用、気密用あるいは防水用の弾性パッキング材、あるいは防水シーリング材、衝撃防止用の緩衝材、等を形成することにより、断熱性、気密性、防水性、強度を向上すると共に、硝子２０の破損防止を図ることもできるものである。勿論、硝子２０は、建具枠体１内に嵌め込まれているために、擦り上げ障子戸Ａが鴨居Ｋと敷居Ｓに嵌め込まれた状態では取り外すことができないような「嵌め殺し」の状態となるものである。
【００１７】
なお、図では上框硝子挿入溝１１部分より硝子２０を挿入して建具枠体１と硝子２０を一体化しているが、上框２に形成した上框硝子挿入溝１１の形状を縦框４（左縦框５、あるいは右縦框６）に形成し、下框３に形成した下框硝子挿入溝１２の形状を上框２に形成することにより、横方向から硝子２０を建具枠体１と一体に形成することもできるものである。
【００１８】
外障子枠体案内溝１４と内外障子枠体案内溝１５よりなる障子枠体案内溝１３は、図７（ａ）、（ｂ）、図８（ａ）、（ｂ）に示すように縦框４の屋内側に縦方向に溝を形成することにより障子戸３０が上下方向に移動可能にするために形成した溝である。勿論、障子枠体案内溝１３の幅をＨ、障子戸３０の幅をｈとすると、Ｈ＞ｈとし、障子戸３０が障子枠体案内溝１３内を移動可能に形成するものである。
【００１９】
ここで、図１８（ａ）〜（ｄ）を用いて、障子戸３０の形成方法について簡単に説明する。図１８（ａ）に示すように、板バネ３９ａを形成した内障子戸３２の板バネ３９ａ部分を左縦框５の内障子枠体案内溝１５に挿入する。次に、図１８（ｂ）に示すように、板バネ３９ａの弾性変形を利用して内障子戸３２を内障子枠体案内溝１５に挿入する。
【００２０】
その後、図１８（ｃ）に示すように右縦框６に内障子戸３２の右部分を、板バネ３９ａの弾性変形を利用して図１８（ｄ）に示すように形成するものである。このために、図７（ａ）、（ｂ）に示すように、板バネ３９ａ部分の深さをＴ、板バネ３９ａの反対側の内障子枠体案内溝１５の深さをｔとすると、Ｔ＞ｔの関係である。勿論、左右の障子枠体案内溝１３の深さが逆の場合には、板バネ３９ａの取付位置も左右逆になるものである。
【００２１】
障子戸３０は図１９（ａ）、（ｂ）に示すように形成されるものであり、図では外障子戸３１、内障子戸３２の２枚により形成されたものである。
【００２２】
さらに詳説すると、障子戸３０は縦枠体３４と横枠体３５よりなる障子枠体３３と、縦桟３６と横桟３７と、障子紙３８と、金属製の板バネ３９ａよりなる弾性摩擦部材３９より形成されたものである。その縦枠体３４と横枠体３５よりなる障子枠体３３と、縦桟３６と横桟３７の素材としては、通常は木材であるが、プラスチック材、金属材（例えば、アルミニウム等）、あるいはこれらの組み合わせ、等任意である。
【００２３】
障子紙３８は外部の光を透過する採光機能と、外部から内部が見えないようにするための遮蔽機能を具備するものであり、通常は和紙であるが、この機能を有する部材であれば、プラスチック材でも良いものである。
【００２４】
障子紙３８としては、手すき楮障子紙、マニラ麻・レーヨン・ビニロン等の混抄障子紙、レーヨン障子紙、レーヨン入り障子紙、パルプ障子紙、プラスチック障子紙、アイロン障子紙、破れにくい障子紙、消臭障子紙、難燃障子紙、模様入り障子紙、カラー障子紙、等よりなるものである。
【００２５】
弾性摩擦部材３９は図では金属製の板バネ３９ａで形成しているが、障子戸３０が障子枠体案内溝１３内で自重により下降しないような圧力下で常時固定されるものであればよいものである。勿論、スライドされる部分であるので、耐摩耗性の部材が好ましい。
【００２６】
以上説明したのは本発明に係る擦り上げ障子戸Ａの一実施例に過ぎず、図２０（ａ）〜（ｋ）〜図２６に示すように形成することができる。
【００２７】
すなわち、図２０（ａ）〜（ｋ）、図２１（ａ）〜（ｅ）は中框７のその他の実施例を示す説明図であり、図２０（ａ）〜（ｋ）において、（ａ）図は両端で調整するように形成した中框７、（ｂ）図は片方のみに中框固定部材９を形成した中框７、（ｃ）図は中框固定部材９を六角ボルトで形成した中框７、（ｄ）図はスプリングワッシャー９ｄを形成した中框７、（ｅ）図は片方のみに六角ボルトで形成した中框固定部材９を形成した中框７、（ｆ）図は雄ネジ部８ｂと雌ネジ部９ｂを逆に形成した中框７、（ｇ）図は中空に形成した中框７、（ｈ）図は中空で、かつ片方のみに中框固定部材９を形成した中框７、（ｉ）〜（ｋ）は両端部の雄ネジ部８ｂと雌ネジ部９ｂを逆ネジに形成し、主体部８ａを回転させることにより締まるように形成した中框７である。
【００２８】
図２１（ａ）〜（ｅ）は片方の中框固定部材９を最後まで締めた状態にし、片方の中框固定部材９により締め具合を調整するようにした中框７である。
【００２９】
図２２（ａ）〜（ｆ）は中框固定孔７ａの実施例を示す説明図であり、（ａ）図は円、（ｂ）図は三角形、（ｃ）図は四角形、（ｄ）図は五角形、（ｅ）図は六角形、（ｆ）図は八角形、の中框固定孔７ａである。
【００３０】
図２３（ａ）〜（ｆ）は中框固定部材９の実施例を示す説明図であり、（ａ）図は円、（ｂ）図は三角形、（ｃ）図は四角形、（ｄ）図は五角形、（ｅ）図は六角形、（ｆ）図は八角形、の中框固定部材９である。
【００３１】
なお、図２２（ａ）〜（ｆ）、図２３（ａ）〜（ｆ）においては、（ａ）図以外はその組合せにより、中框固定部材９が中框固定孔７ａ内で回転しないように形成することができるものである。
【００３２】
図２４は内側にのみ中框７を形成した擦り上げ障子戸Ａである。また、図２５は中框７に緩衝材４０を形成し硝子２０と金属製の中框７間の接触による硝子２０の割れを防止した擦り上げ障子戸Ａである。
【００３３】
図２６は中框７を複数本（図では３本）形成し、強度を向上し、硝子２０の補強を強化した擦り上げ障子戸Ａである。
【００３４】
なお、図では障子戸３０を上下方向に移動する実施例を示しているが、障子枠体案内溝１３を上框２、下框３に形成することにより、障子戸３０を左右に移動できるように形成することもできるものである。
【００３５】
さらに、本発明に係る擦り上げ障子戸Ａは、建具枠体１に鍵を形成して施錠できるように形成することにより、防犯にも対応できるものである。
【００３６】
また、外障子戸３１、内障子戸３２の少なくともどちらか一方に光の透過率が０％の障子紙３８（遮光紙）を形成し、他方に、光の透過率が４０〜５０％である従来から使用されている障子紙を形成してもよいものである。この場合には、遮光と採光を同時に行えるものである。勿論、外障子戸３１、内障子戸３２の両方に光の透過率が０％の障子紙３８を形成することもできるものである。
【図面の簡単な説明】
【００３７】
【図１】本発明に係る擦り上げ障子戸の代表的一例を示す説明図である。
【図２】本発明に係る擦り上げ障子戸の代表的一例を示す説明図である。
【図３】本発明に係る擦り上げ障子戸の代表的一例を示す説明図である。
【図４】本発明に係る擦り上げ障子戸の代表的一例を示す説明図である。
【図５】本発明に係る擦り上げ障子戸の代表的一例を示す説明図である。
【図６】本発明に係る擦り上げ障子戸の代表的一例を示す説明図である。
【図７】本発明に係る擦り上げ障子戸の代表的一例を示す説明図である。
【図８】本発明に係る擦り上げ障子戸の代表的一例を示す説明図である。
【図９】本発明に係る擦り上げ障子戸の代表的一例を示す説明図である。
【図１０】本発明に係る擦り上げ障子戸の代表的一例を示す説明図である。
【図１１】本発明に係る擦り上げ障子戸の代表的一例を示す説明図である。
【図１２】本発明に係る擦り上げ障子戸の代表的一例を示す説明図である。
【図１３】本発明に係る擦り上げ障子戸の代表的一例を示す説明図である。
【図１４】本発明に係る擦り上げ障子戸の建具枠体の代表的一例を示す説明図である。
【図１５】本発明に係る擦り上げ障子戸の硝子の代表的一例を示す説明図である。
【図１６】本発明に係る擦り上げ障子戸の硝子の形成方法の代表的一例を示す説明図である。
【図１７】本発明に係る擦り上げ障子戸の硝子の形成方法の代表的一例を示す説明図である。
【図１８】本発明に係る擦り上げ障子戸の障子戸の形成方法の代表的一例を示す説明図である。
【図１９】本発明に係る擦り上げ障子戸の障子戸の代表的一例を示す説明図である。
【図２０】本発明に係る擦り上げ障子戸に使用する中框のその他の実施例を示す説明図である。
【図２１】本発明に係る擦り上げ障子戸に使用する中框のその他の実施例を示す説明図である。
【図２２】本発明に係る擦り上げ障子戸のその他の実施例を示す説明図である。
【図２３】本発明に係る擦り上げ障子戸のその他の実施例を示す説明図である。
【図２４】本発明に係る擦り上げ障子戸のその他の実施例を示す説明図である。
【図２５】本発明に係る擦り上げ障子戸のその他の実施例を示す説明図である。
【図２６】本発明に係る擦り上げ障子戸のその他の実施例を示す説明図である。
【符号の説明】
【００３８】
α  開口
Ａ  擦り上げ障子戸
Ｋ  鴨居
Ｐ  パッキング材
Ｓ  敷居
Ｕ  硝子固定部材
１  建具枠体
２  上框
３  下框
３ａ  車輪
３ｂ  レール
４  縦框
５  左縦框
６  右縦框
７  中框
７ａ  中框固定孔
７ｂ  中框支持孔
７ｃ  切り欠き
７ｄ  フタ
８  硝子固定部材
８ａ  主体部
８ｂ  雄ネジ部
９  中框固定部材
９ａ  主体部
９ｂ  雌ネジ部
９ｃ  ドライバ用溝
９ｄ  スプリングワッシャー
１０  縦框硝子挿入溝
１１  上框硝子挿入溝
１２  下框硝子挿入溝
１３  障子枠体案内溝
１４  外障子枠体案内溝
１５  内障子枠体案内溝
２０  硝子
３０  障子戸
３１  外障子戸
３２  内障子戸
３３  障子枠体
３４  縦枠体
３５  横枠体
３６  縦桟
３７  横桟
３８  障子紙
３９  弾性摩擦部材
３９ａ  板バネ
４０  緩衝材
【図１】
2007211440.tif 000003
【図２】
2007211440.tif 000004
【図３】
2007211440.tif 000005
【図４】
2007211440.tif 000006
【図５】
2007211440.tif 000007
【図６】
2007211440.tif 000008
【図７】
2007211440.tif 000009
【図８】
2007211440.tif 000010
【図９】
2007211440.tif 000011
【図１０】
2007211440.tif 000012
【図１１】
2007211440.tif 000013
【図１２】
2007211440.tif 000014
【図１３】
2007211440.tif 000015
【図１４】
2007211440.tif 000016
【図１５】
2007211440.tif 000017
【図１６】
2007211440.tif 000018
【図１７】
2007211440.tif 000019
【図１８】
2007211440.tif 000020
【図１９】
2007211440.tif 000021
【図２０】
2007211440.tif 000022
【図２１】
2007211440.tif 000023
【図２２】
2007211440.tif 000024
【図２３】
2007211440.tif 000025
【図２４】
2007211440.tif 000026
【図２５】
2007211440.tif 000027
【図２６】
2007211440.tif 000028
【手続補正書】
【提出日】平成18年2月9日(2006.2.9)
【手続補正１】
【補正対象書類名】図面
【補正対象項目名】図３
【補正方法】変更
【補正の内容】
【図３】
2007211440.tif 000029